(57)【要約】【課題】  我が国の伝統工芸である木質素材を活かした漆装飾品等を、ほとんど利用分野として考慮されていなかった鞄、バッグに類する携行具にその応用の道を開くべく、新規な案出を行ったものである。【解決手段】  身装品等の携行具Ｃは、外ケース１と、この外ケース１内に収容される内袋２とを具えて構成され、前記外ケース１は、非易変形性の材料が用いられた有底箱状であり、且つ外ケース１を吊り下げて用いるための提げ手１６を具え、一方前記内袋２は、易変形性の材料で構成された袋状のものであり、内袋を吊り下げて用いる持ち手２６を具えていることを特徴として成るものである。【選択図】図１
0003132433.tif 000002
【実用新案登録請求の範囲】
【請求項１】
外ケースと、この外ケース内に収容される内袋とを具えて構成され、
前記外ケースは、非易変形性の材料が用いられた有底箱状であり、且つ外ケースを吊り下げて用いるための提げ手を具え、
一方前記内袋は、易変形性の材料で構成された袋状のものであり、内袋を吊り下げて用いる持ち手を具えていることを特徴とする身装品等の携行具。
【請求項２】
前記外ケースは、木質板材で構成されるとともに、その表面は漆塗装により装飾されていることを特徴とする請求項１記載の身装品等の携行具。
【請求項３】
前記内袋は、布製の巾着袋状のものであり、持ち手は封止紐を兼用するものであることを特徴とする請求項１または２記載の身装品等の携行具。
【請求項４】
前記外ケースと前記内袋との間には、内袋の脱落を防止するための係止構造を具えていることを特徴とする請求項１、２または３記載の身装品等の携行具。
【請求項５】
前記外ケースと前記内袋とのいずれか一方または双方を組み合わせた状態の３通りの使用が可能であることを特徴とする請求項１、２、３または４記載の身装品等の携行具。
【考案の詳細な説明】
【技術分野】
【０００１】
本考案は、装飾性を高めた身装品等の携行具に関するものである。
【背景技術】
【０００２】
ファッションの一部としてハンドバッグなどをはじめ、各種の身装品の携行具が市販されている。これらの多くは、使い勝手の追求、装飾性の発揮、耐衝撃性、耐久性などの見地から、革、合成皮革、キャンバス様厚手生地、更にはそれらの複合材等を素材として用いている。つまり、これらの素材を用いることが通例、固定観念化されつつある。
一方このような素材選択の範囲の定着と関連し、その形状にあってもハンドバッグ等の携行具については、ファッション性の関係で、その形状選択の範囲も定形化されつつある。また専ら実用上の機能が求められる特殊用途の携行具、たとえば図面もしくは印刷版下などの携行用の大型バッグ等にあっては、ファッション性の考慮はほとんどなされていない。
【０００３】
しかしながら、実用性を求めながらも特殊形状のものを携行し、且つその際ファッション性を強く求められる状況も少なくない。例えば、コンサートにおける音楽、声楽等の演奏家等が挙げられる。一例として、箏曲演奏家は、通常楽譜、箏爪、チューナー等を持って会場入りするが、この際多くは、布製手提げ袋等市販の鞄に入れて運んでおり、衣装（着物の場合が多い）、会場の雰囲気に必ずしもそぐうものではない。そのため、このような場面においても活用できる携行具の要望も存在していた。
【０００４】
ところで、我が国の伝統工芸の手法である、漆装飾木製品について着眼すると、これらはほとんど容器、家具、ブローチ等の身装品に多く用いられ利用分野としてはほぼ限定されている。特に携行具としての用途については、ほとんど実用に供されている例は少なく、先行特許出願として特開２００１−３１５７９１「木箱及び模様付木箱の製作方法」が開示されている程度にとどまっている（特許文献１）。
【特許文献１】特開２００１−３１５７９１公報
【考案の開示】
【考案が解決しようとする課題】
【０００５】
本考案は、このような状況の認識にたってなされたものであって、我が国の伝統工芸である木質素材を活かした漆装飾品等を、ほとんど利用分野として考慮されていなかった鞄、バッグに類する携行具にその応用の道を開くべく、新規な案出を行ったものである。
【課題を解決するための手段】
【０００６】
請求項１記載の身装品等の携行具は、外ケースと、この外ケース内に収容される内袋とを具えて構成され、前記外ケースは、非易変形性の材料が用いられた有底箱状であり、且つ外ケースを吊り下げて用いるための提げ手を具え、一方前記内袋は、易変形性の材料で構成された袋状のものであり、内袋を吊り下げて用いる持ち手を具えていることを特徴として成るものである。
【０００７】
請求項２記載の身装品等の携行具は、前記要件に加え、前記外ケースについては、木質板材で構成されるとともに、その表面は漆塗装により装飾されていることを特徴として成るものである。
【０００８】
請求項３記載の身装品等の携行具は、前記要件に加え、前記内袋については、布製の巾着袋状のものであり、持ち手は封止紐を兼用するものであることを特徴として成るものである。
【０００９】
請求項４記載の身装品等の携行具は、前記要件に加え、前記外ケースと前記内袋との間には、内袋の脱落を防止するための係止構造を具えていることを特徴として成るものである。
【００１０】
請求項５記載の身装品等の携行具は、前記要件に加え、前記外ケースと前記内袋とのいずれか一方または双方を組み合わせた状態の３通りの使用が可能であることを特徴として成るものである。
【考案の効果】
【００１１】
まず請求項１記載の考案によれば、箱状の外ケースによる意匠性がファッション機能を発揮すると共に、内袋は、外ケースとは一転して柔らか且つ穏やかな印象を与え、これらが相俟って携行具としての趣と実用性を発揮することができる。
【００１２】
また請求項２記載の考案によれば、外ケースに木質素材に漆塗装を施したものであり、デザイン上高級感を得ると共に収容物の保護の点で実用性を発揮することができる。
【００１３】
また請求項３記載の考案によれば、内袋が巾着状であり、親しみ易さと使い勝手の良さが保たれる。
【００１４】
また請求項４記載の考案によれば、外ケース内に、内袋を装填した状態で使用するにあたって、内袋の脱落が完全に回避できる。
【００１５】
また請求項５記載の考案によれば、外ケース、内袋等をそれぞれ独立的に使用することにより、状況に合ったコーディネートが可能である。
【考案を実施するための最良の形態】
【００１６】
本考案を実施するための最良の形態は、以下述べる実施例をその一つとするとともに、この技術思想に基づく種々の改良した実施例も含むものである。
【実施例】
【００１７】
以下、本考案を図示の実施例に基づいて具体的に説明する。
本考案たる身装品等の携行具Ｃは、外ケース１と内袋２とを具えて構成されるものであり、外ケース１を単独で用いることもでき、また内袋２のみを単独で外ケース１から外して用いることができ、更にもちろん両者を組み合わせた状態でも用いることができる。
まず外ケース１は、箱状をなす外ケース本体１０を有するものであり、このものは、図１、２に示すように平面視で矩形状の箱型容器である。具体的には、側面板１１が対抗的に設けられるとともに、それらをつなぐように妻面板１２を具え、これらにより角筒状を構成するとともに、更に底部を閉鎖するように底板１３が設けられている。全体としては、上部が開放された角箱状の形状をとるものであって、その内部を収容部１５とするものである。
【００１８】
この外ケース本体１０に関しては、もっとも適切な素材としては、朴材等の天然木材を組み合わせて木地とすることが好ましいが、もちろん合成木質素材、強化プラスチックなどの樹脂材、金属素材、充分な強度を有する板紙、更にはこれらの複合材等の適宜の素材を用いることができることはいうまでもない。
そして実用新案登録請求の範囲にいう「非易変形性」とは、これらの素材であることに因み概ね理解できるように、要は一定の保形性を発揮する程度の強度を持ち、いわゆる箱体としての形状維持が図れる強度を持つ性状をいう。
【００１９】
外ケース本体１０には、携行の便を考慮して、前記妻面板１２の上方から提げ手１６を設ける。この提げ手１６の素材については、具体的には例えば適宜の装飾効果を発する正絹等の織り紐などが好適な実施例の一つである。  なおこの提げ手１６は、留め金１７を介して前記妻面板１２に固定されるが、例えば図３に示すように妻面板１２の上面の一部を穿孔し、その孔に提げ手１６を通すようにして固定してもよい。また前記底板１３には、図２に示すように底板１３の表面の保護を兼ねて、底鋲１３ａを設けることが好ましい。
【００２０】
この外ケース本体１０の収容部１５の底部から内壁面のすべてと、外周面のすべてを漆塗装等により装飾とすることが好ましい。この場合には、積極的に外ケース本体１０の木地の木目を全く露見しないような漆塗装を施したり、一部またはすべてに木地を露出させてその面白さを視覚的に認識させるようなものであってもよい。
また外ケース本体１０の側面板１１、妻面板１２、底板１３について、この実施例ではすべて板状に形成されているが、それらの一部を透かし彫り状に切り取るような構成にすることにより、意匠効果を更に発揮させることももとより差し支えない。なおこのようにした場合に、透かし彫り状の穴から内部の内袋２が露見されるわけであるが、その際内袋２とのデザイン的な調和を更に図れば、装飾効果をより発揮できる。
【００２１】
次に内袋２に説明する。
符号２０は内袋本体であり、このものは、素材としては例えば絹等の布を生地のまま用いたり、更に絞り染め等の染色装飾を施した生地を用いて、適宜の装飾効果を発揮するように構成されてたものである。このような自在変形することができる素材について、その性状を実用新案登録請求の範囲で「易変形性」と定義したものである。もちろん絹以外の布、合成樹脂シート、薄くなめした皮、あるいは網状材料等が適用できる。
なおこの内袋２が前記外ケース本体１０の内側に収まりやすくするために、外ケース本体１０に嵌め込まれる内袋本体２０の胴部分には、他の部分よりも幾分か保形性を有した、いわゆるコシのある素材を適用し、外ケース本体１０の収容部１５の形状を保つようにすることも好ましい。
【００２２】
この内袋本体２０の上部には、開け口２１を開口させるものであって、一例として巾着袋状に構成し、意匠的な効果を発揮させることができる。この開け口２１を開閉させるために、封止紐２２を設けるものであり、一例として封止紐２２自体を持ち手２６として兼用させるものである。もちろん封止紐２２と持ち手２６とを別体としたものであっても差し支えない。また内袋２自体、このような巾着袋状でなくともよく、開け口をスライドファスナー等で開閉するものであっても、もとより差し支えない。
【００２３】
そして、これら外ケース１と内袋２とは、内袋２が前記外ケース本体１０の収容部１５内に収納されて組み合わされた状態で用いられるものであるが、この係止状態を確実にするために係止構造３が適用されることが好ましい。この係止構造３は、種々の形態がとりうるものであり、図４（ａ）に示すものは外ケース１における提げ手１６の紐を前記外ケース本体１０の上面開口部を塞ぐように掛け渡し内袋２の浮き上がりを防止するようにしたものである。もちろんこのような形態をとる以外、図４( ｂ) に示すように装飾効果を奏するように、閂状の保持杆３１を両側面板１１の上方に貫き挿すようにして用いることも可能であり、この保持杆３１に代えた紐等により塞ぐことも可能ある。
【００２４】
更には、図示を省略するが、前記外ケース本体１０の収容部１５側の底板１３の内側に面ファスナーの一方の要素を設け、一方の内袋２の当接面側にも他方の面ファスナー要素を設けることにより軽い係合を図ることももとより差し支えない。
なお図５において符号５は、種々の収容品を示すものである。具体的な収容品５は、携帯電話、携行用の化粧具や、更には背景説明において述べたように、例えばコンサート等において演奏家が持ち運ぶ楽譜５１等が挙げられる。収容品５としての楽譜５１を持ち運ぶ場合、外ケース本体１０のみを用いて運ぶようにすることも好まし、図５に示すように外ケース本体１０の収容部１５を更に仕切って楽譜５１の専用スペースと設けてもよい。また楽譜５１を折り曲げずに携行するような寸法設定した外ケース１は、それなりにサイズが大きくなることから、これに収容する内袋２は、一個だけでなく、二個等の複数個であってもよい。
【００２５】
本考案は、以上述べたような基本的な構造を有するものであり、これを用いるには、外ケース１と内袋２とを組み合わせた状態のまま、内袋２を収容品５の収容部として用いることが可能である。
またファッション等に合わせて、内袋２のみを取り出して単独で用いたり、あるいは外ケース１のみを単独で用いたりすることも可能である。
【００２６】
また外ケース１の形状に関する他の実施の形態としては、先に述べた図１に示す角筒状の形状の容器のほかに、種々のものがとり得る。
まず、例えば図６（ａ）に示すように妻面板１２が平面視で「く」の字状に外側に張り出すように屈曲し、全体として平面視、扁平の６角形状のもの、更には図６（ｂ）に示すように全体としては矩形状でありその四隅を切り落としたような平面視８角形状のものなどが適用し得る。
また図６（ｃ）に示すような上方がやや窄まったほぼ台形状をしたものや、更に図６（ｄ）に示すように平面視楕円形状のもの、更に図６（ｅ）に示すように、側面板１１、妻面板１２を鼓状に外膨らみ状にしたものが可能である。
【図面の簡単な説明】
【００２７】
【図１】本考案の身装品等の携行具を示す斜視図並びに分解図である。
【図２】本考案の身装品等の携行具の内部構造を示す縦断面図である。
【図３】本考案の身装品等の携行具の提げ手の構造を示す斜視図並びに一部横断面図である。
【図４】本考案の身装品等の携行具の種々の蓋構造を示す斜視図並びに一部横断面図である。
【図５】本考案の身装品等の携行具の内部構造に関する他の実施の形態を示す斜視図である。
【図６】本考案の身装品等の携行具の形状に関する他の実施の形態を示す斜視図である。
【図７】本考案の身装品等の携行具の分離した状態を示す写真である。
【図８】本考案の身装品等の携行具を示す写真である。
【図９】本考案の身装品等の携行具を示す写真である。
【図１０】本考案の身装品等の携行具を示す写真である。
【符号の説明】
【００２８】
１      外ケース
２      内袋
３      係止構造
５      収容品
１０      外ケース本体
１１      側面板
１２      妻面板
１３      底板
１３ａ    底鋲
１５      収容部
１６      提げ手
１７      留め金
２０      内袋本体
２１      開け口
２２      封止紐
２６      持ち手
３１      保持杆
５１      楽譜
Ｃ        携行具
【図１】
0003132433.tif 000003
【図２】
0003132433.tif 000004
【図３】
0003132433.tif 000005
【図４】
0003132433.tif 000006
【図５】
0003132433.tif 000007
【図６】
0003132433.tif 000008
【図７】
0003132433.tif 000009
【図８】
0003132433.tif 000010
【図９】
0003132433.tif 000011
【図１０】
0003132433.tif 000012